(57)【要約】【課題】視認性を向上した液晶表示装置を提供する。【解決手段】ＬＣＤ１０４に出力する点灯パターンを、第１のセグメント群を点灯させる第１の点灯パターンから第２のセグメント群を点灯させる第２の点灯パターンに切り替えた後、第３のセグメント群を点灯させる第３の点灯パターンに更に切り替える際には、当該切り替え時点の所定時間前から該切り替え時点までの間、セグメント全体のうちの第１のセグメント群に共通しないセグメントに電圧を印加する。【選択図】図７
2014095748.tif 000002
【特許請求の範囲】
【請求項１】
区分された複数のセグメントを有する表示部と、各セグメントに印加する電圧を制御して各セグメントを点灯及び消灯させる制御部と、を備える液晶表示装置であって、
前記制御部は、前記表示部に出力する点灯パターンを、前記複数のセグメントから選択された第１のセグメント群を点灯させる第１の点灯パターンから、前記複数のセグメントから選択された第２のセグメント群を点灯させる第２の点灯パターンに切り替えた後、前記複数のセグメントから選択された第３のセグメント群を点灯させる第３の点灯パターンに更に切り替える際には、前記第２の点灯パターンから前記第３の点灯パターンへの切り替え時点の所定時間前から該切り替え時点までの間、前記複数のセグメントのうちの前記第１のセグメント群に共通しないセグメントの少なくとも１つに電圧を印加する、
ことを特徴とする液晶表示装置。
【請求項２】
前記液晶表示装置の周辺温度を検出する温度検出部を更に備え、
前記制御部は、前記温度検出部から取得した前記周辺温度の値が所定の閾値以下である場合には、前記複数のセグメントのうちの前記第１のセグメント群に共通しないセグメントの少なくとも１つに電圧を印加する、
ことを特徴とする請求項１に記載の液晶表示装置。
【請求項３】
前記制御部は、前記切り替え時点の所定時間前から該切り替え時点までの間、前記複数のセグメントのうちの前記第１のセグメント群に共通しないセグメントの少なくとも１つに電圧を印加し、且つ、該切り替え時点から所定時間だけ、前記第１のセグメント群のうちの前記第２のセグメント群に共通しないセグメントの少なくとも１つに電圧を印加する、
ことを特徴とする請求項２又は請求項３に記載の液晶表示装置。
【請求項４】
前記制御部は、前記切り替え時点から、所定の温度環境下における、前記セグメントの点灯時における応答時間から消灯時における応答時間を減じた時間だけ、前記第１のセグメント群のうちの前記第２のセグメント群に共通しないセグメントの少なくとも１つに電圧を印加する、
ことを特徴とする請求項３に記載の液晶表示装置。
【発明の詳細な説明】
【技術分野】
【０００１】
本発明は、液晶表示装置に関する。
【背景技術】
【０００２】
液晶表示装置として、区分された複数のセグメントを有する表示部を備え、各セグメントに印加する電圧を制御して各セグメントを点灯及び消灯させることによって各種情報を表示するセグメント型の液晶表示装置が知られている（例えば、特許文献１参照。）。
【先行技術文献】
【特許文献】
【０００３】
【特許文献１】特開昭５９―９６４１号公報
【発明の概要】
【発明が解決しようとする課題】
【０００４】
特許文献１には、７つのセグメントから成る７セグメント型の表示部を備える液晶表示装置であって、電圧の印加及び除去の切り替えに際して、電圧を印加すべきタイミングを、電圧を除去すべきタイミングより所定の時間遅らせることによって、電圧の除去による立下り曲線と電圧の印加による立上り曲線とが同時に液晶の透過率の閾値を通過する様にした液晶表示装置が開示されている。
【０００５】
特許文献１の液晶表示装置によれば、液晶表示装置の温度変化による誤表示又はコントラストの低下の防止を図ることができる。
【０００６】
近年では、より視認性が高い液晶表示装置が求められている。
【０００７】
本発明は、上述した事情に鑑みてなされたものであり、その目的は、視認性を向上した液晶表示装置を提供することにある。
【課題を解決するための手段】
【０００８】
前述した目的を達成するために、本発明に係る液晶表示装置は、下記（１）〜（４）を特徴としている。
（１）  区分された複数のセグメントを有する表示部と、各セグメントに印加する電圧を制御して各セグメントを点灯及び消灯させる制御部と、を備える液晶表示装置であって、
前記制御部は、前記表示部に出力する点灯パターンを、前記複数のセグメントから選択された第１のセグメント群を点灯させる第１の点灯パターンから、前記複数のセグメントから選択された第２のセグメント群を点灯させる第２の点灯パターンに切り替えた後、前記複数のセグメントから選択された第３のセグメント群を点灯させる第３の点灯パターンに更に切り替える際には、前記第２の点灯パターンから前記第３の点灯パターンへの切り替え時点の所定時間前から該切り替え時点までの間、前記複数のセグメントのうちの前記第１のセグメント群に共通しないセグメントの少なくとも１つに電圧を印加する、
こと。
（２）  上記（１）の構成の液晶表示装置であって、
前記液晶表示装置の周辺温度を検出する温度検出部を更に備え、
前記制御部は、前記温度検出部から取得した前記周辺温度の値が所定の閾値以下である場合には、前記複数のセグメントのうちの前記第１のセグメント群に共通しないセグメントの少なくとも１つに電圧を印加する、
こと。
（３）  上記（１）又は（２）の構成の液晶表示装置であって、
前記制御部は、前記切り替え時点の所定時間前から該切り替え時点までの間、前記複数のセグメントのうちの前記第１のセグメント群に共通しないセグメントの少なくとも１つに電圧を印加し、且つ、該切り替え時点から所定時間だけ、前記第１のセグメント群のうちの前記第２のセグメント群に共通しないセグメントの少なくとも１つに電圧を印加する、
こと。
（４）  上記（３）の構成の液晶表示装置であって、
前記制御部は、前記切り替え時点から、所定の温度環境下における、前記セグメントの点灯時における応答時間から消灯時における応答時間を減じた時間だけ、前記第１のセグメント群のうちの前記第２のセグメント群に共通しないセグメントの少なくとも１つに電圧を印加する、
こと。
【０００９】
上記（１）の構成の液晶表示装置では、表示部に出力される点灯パターンが第１の点灯パターンから第２の点灯パターンに切り替わった後、第３の点灯パターンに切り替わる際には、第２の点灯パターンから第３の点灯パターンへの切り替え時点の所定時間前から当該切り替え時点までの間、セグメント全体のうちの第１のセグメント群に共通しないセグメントの少なくとも１つに電圧が印加される。これにより、前回消灯時からの経過時間によって各セグメントの点灯時における応答時間が相違することに起因する、表示のバラつきの発生を抑制できる。
上記（２）の構成の液晶表示装置では、液晶表示装置の周辺温度の値が所定の閾値以下である場合に、セグメント全体のうちの第１のセグメント群に共通しないセグメントに電圧が印加される。これにより、前回消灯時からの経過時間の違いによる各セグメントの点灯時における応答時間の相違がより顕著に現れやすい低温環境下で液晶表示装置が使用される場合に、表示のバラつきの発生を効果的に抑制できる。
上記（３）の構成の液晶表示装置では、更に、切り替え時点から所定時間だけ、第１のセグメント群のうちの第２のセグメント群に共通しないセグメントの少なくとも１つに電圧が印加される。これにより、各セグメントの点灯時における応答時間が消灯時における応答時間よりも長いことに起因する、表示のバラつきの発生を抑制できる。
上記（４）の構成の液晶表示装置では、切り替え時点から、所定の温度環境下における、セグメントの点灯時における応答時間から消灯時における応答時間を減じた時間だけ、第１のセグメント群のうちの第２のセグメント群に共通しないセグメントに電圧が印加される。これにより、各セグメントの点灯時における応答時間が消灯時における応答時間よりも長いことに起因する、表示のバラつきの発生をより効果的に抑制できる。
【発明の効果】
【００１０】
本発明の液晶表示装置によれば、視認性を向上した液晶表示装置を提供できる。
【００１１】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１２】
【図１】図１は、本実施形態に係る液晶表示装置１００のハードウェアの構成例を示すブロック図である。
【図２】図２は、ＬＣＤ１０４の表示画面１０を示す図である。
【図３】図３は、従来の液晶表示装置の表示制御を説明するためのタイムチャートである。
【図４】図４は、速度表示部１１における各セグメントに付す符号を示す説明図である。
【図５】図５は、前回消灯時点からの経過時間と点灯時におけるセグメントの応答時間との関係を示す説明図としてのグラフであり、横軸は前回消灯時点からの経過時間を、縦軸は点灯時におけるセグメントの応答時間を示している。
【図６】図６は、点灯時におけるセグメントの応答時間と消灯時におけるセグメントの応答時間とを示す説明図としてのグラフであり、横軸はＬＣＤ１０４のパネル温度を、縦軸は各パネル温度における応答時間を示している。
【図７】図７は、本実施形態に係る液晶表示装置１００の表示制御を説明するためのタイムチャートである。
【図８】図８は、本実施形態に係る液晶表示装置１００の表示制御を説明するためのフローチャートである。
【発明を実施するための形態】
【００１３】
本発明に係る液晶表示装置の具体的な実施形態について各図を参照しながら以下に説明する。
【００１４】
図１は、本実施形態に係る液晶表示装置１００のハードウェアの構成例を示したブロック図である。
【００１５】
図１に示すように、液晶表示装置１００は、マイクロコンピュータ（ＣＰＵ：Central Processing Unit）１０１、ＥＥＰＲＯＭ（Electrically Erasable Programmable Read-Only Memory）１０２、温度センサ１０３、ＬＣＤ（Liquid Crystal Display、液晶ディスプレー）１０４、ＬＣＤドライバ１０５、ＬＣＤ駆動電源部１０６、電源回路１０７、及びインタフェース（Ｉ／Ｆ）１０８〜１１１を備えている。以下では、これら各構成について説明する。
【００１６】
マイクロコンピュータ１０１は、制御部であり、予め用意されたプログラムを実行し、液晶表示装置１００の機能を実現するために必要な様々な処理を行う。例えば、後述するＬＣＤ１０４の点灯制御をマイクロコンピュータ１０１が行う。
【００１７】
ＥＥＰＲＯＭ１０２は、記録部としての電気的に書き換え可能なメモリであり、マイクロコンピュータ１０１が参照する各種データを保持している。例えば、ＥＥＰＲＯＭ１０２には、図８に示す処理のステップＳ１１でマイクロコンピュータ１０１が参照する温度閾値Ｔ１の値が保持されている。
【００１８】
温度センサ１０３は、温度検出部であり、液晶表示装置１００の周辺温度Ｔの値を検出し、検出した周辺温度Ｔの値をインタフェース１０８を介してマイクロコンピュータ１０１に出力する。温度センサ１０３としては、例えば公知のサーミスタ等が用いられる。温度センサ１０３は、液晶表示装置１００の周辺温度を計測可能な箇所に取付けられる。温度センサ１０３は、例えば、ＬＣＤ１０４の液晶パネルに取付けられ、当該液晶パネルの温度を周辺温度Ｔとして検出する。或いは、温度センサ１０３は、液晶表示装置１００を構成する筺体外面に取付けられ、液晶表示装置１００の周囲の雰囲気温度を周辺温度Ｔとして算出する。
【００１９】
ＬＣＤ１０４は、表示部であり、矩形の平面状の表示画面１０上に各種情報を表示する。本実施形態では、ＬＣＤ１０４の表示画面１０は、図２に示すように、現在の車両の速度を表示する速度表示部１１と、冷却水の水温を表示する水温表示部１３と、燃料の残量を表示する燃料表示部１５と、を備えている。ＬＣＤ１０４は、ＬＣＤ駆動電源部１０６により所定の駆動電圧が印加されるとオン状態となる。マイクロコンピュータ１０１は、インタフェース１０９を介してＬＣＤ駆動電源部１０６に信号を出力して当該駆動電圧の印加状態を制御し、これによりＬＣＤ１０４の電源のオンオフを制御する。
【００２０】
速度表示部１１は、公知のデジタル速度計であり、表示する数字にしたがって点灯パターンを切り替えることにより、区分された７つのセグメントを用いた７セグメント式の表示によって１桁目及び２桁目に「０」〜「９」の数字のうちのいずれか１つを表示し、２つのセグメントを用いた２セグメント式の表示によって３桁目に「１」を表示する。これら各セグメントの点灯及び消灯は、マイクロコンピュータ１０１により制御される。
【００２１】
より具体的には、マイクロコンピュータ１０１は、各セグメントの点灯及び消灯に関する情報を含む点灯信号をＬＣＤドライバ１０５に出力する。当該点灯信号を受け付けたＬＣＤドライバ１０５は、当該点灯信号に基づいてＬＣＤ１０４の各セグメントに印加する電圧の電圧値を決定し、決定した各セグメントの電圧値を表す信号をＬＣＤ１０４に出力する。そして、ＬＣＤドライバ１０５が出力した信号にしたがってＬＣＤ１０４が動作することにより、速度表示部１１の各セグメントが点灯又は消灯される。即ち、本実施形態に係る液晶表示装置１００では、マイクロコンピュータ１０１は、電圧値が可変である電圧をＬＣＤ１０４の各セグメントに印加するダイナミック駆動方式により、ＬＣＤ１０４の表示を制御している。
【００２２】
更に具体的には、本実施形態に係る液晶表示装置１００における速度表示部１１の各セグメントは、該セグメントを点灯させるための電圧である臨界電圧（例えば、３Ｖ。）よりも電圧値の絶対値が大きい電圧が印加されると、点灯する。したがって、ＬＣＤドライバ１０５は、点灯信号を受け付けた場合には、後述するダミー点灯制御を実行する場合を除いて、点灯するべきセグメントについては臨界電圧以上の電圧値（例えば、５Ｖ。）の点灯電圧を印加し、消灯するべきセグメントについては電圧を印加しないとする信号をＬＣＤ１０４に出力する。これにより、速度表示部１１の各セグメントには表示すべき点灯パターンに適合した電圧値が印加され、各セグメントが点灯又は消灯される。
【００２３】
水温表示部１３及び燃料表示部１５は、速度表示部１１と同様に、ＬＣＤドライバ１０５からの信号にしたがって動作し、各表示要素の点灯及び消灯がマイクロコンピュータ１０１によって制御されることにより、冷却水の水温及び燃料の残量を表示する。
【００２４】
電源回路１０７は、外部電源である車両に搭載されたバッテリから印加電圧＋Ｂが印加されて駆動し、マイクロコンピュータ１０１を駆動させるための駆動電圧Ｖｃｃをマイクロコンピュータ１０１に印加する。また、電源回路１０７は、マイクロコンピュータ１０１の駆動を初期化するリセット信号ＲＥＳＥＴをマイクロコンピュータ１０１に出力する。
【００２５】
インタフェース１１０は、マイクロコンピュータ１０１がイグニッションスイッチのオンオフを表すイグニッション信号（ＩＧＮ）を受け付けるために用いられるインタフェースである。また、インタフェース１１１は、マイクロコンピュータ１０１が、車両上の通信ネットワーク（ＣＡＮ：Controller Area Network）から、例えば車両の速度や水温計の温度等の車両に関する各種情報を含むＣＡＮ信号を受け付けるためのインタフェースである。
【００２６】
次に、液晶表示装置１００における速度表示部１１の表示制御について説明する。
【００２７】
（従来の液晶表示装置の動作例）
はじめに、本実施形態に係る液晶表示装置１００におけるＬＣＤ１０４の速度表示部１１の表示制御を説明する前に、図３を参照して、従来の液晶表示装置の表示制御の例を比較例として説明する。図３は、従来の液晶表示装置の表示制御を説明するためのタイムチャートである。
【００２８】
以下では、説明の簡単化のために、従来の液晶表示装置が本実施形態に係る液晶表示装置１００と同一のハードウェア構成を有しているものとして、従来の液晶表示装置の構成要素にも本実施形態に係る液晶表示装置１００と同一の符号を付して説明する。図３において、横軸は表示開始からの経過時間を表し、上段は各時刻に速度表示部１１に本来表示するべき（意図する）表示内容を表し、中段は各時刻にマイクロコンピュータ１０１からＬＣＤドライバ１０５に出力される点灯信号を表し、下段は各時刻に速度表示部１１に実際に表示される表示内容を表している。但し、図３では、説明の簡単化のために、１桁目及び２桁目の表示要素のみを用いて表示制御を行う場合について例示している。
【００２９】
図３に示す例では、本来表示するべき表示内容として、何も表示しない時刻ｔ０における開始状態から、時刻ｔ１において「０」の表示を開始し、時刻ｔ３において「０」から「２」に表示を切り替え、時刻ｔ６において「２」から「１０」に表示を切り替えることを意図して表示する場合について例示している。以下、本明細書中では、説明の簡単化のために、図４に示すように、１桁目の７セグメント式の表示における各セグメントにａ〜ｇの符号を付し、２桁目の７セグメント式の表示における各セグメントにｈ〜ｎの符号を付して説明する。当該符号を用いて説明すれば、図３では、速度表示部１１に表示する点灯パターンを、時刻ｔ０においては全てのセグメントを点灯させない点灯パターンＡとし、時刻ｔ１において、当該点灯パターンＡから、セグメントａ，ｂ，ｃ，ｄ，ｅ，ｆから成るセグメント群Ｂを点灯させて「０」を表示する点灯パターンＢに切り替え、時刻ｔ３において、当該点灯パターンＢから、セグメントａ，ｂ，ｄ，ｅ，ｇから成るセグメント群Ｃを点灯させて「２」を表示する点灯パターンＣに切り替え、時刻ｔ６において、当該点灯パターンＣから、セグメントａ，ｂ，ｃ，ｄ，ｅ，ｆ及びセグメントｉ，ｊから成るセグメント群Ｄを点灯させて「１０」を表示する点灯パターンＤに切り替えることを意図して表示する場合について例示している。以下、点灯パターンＡでは、いずれのセグメントも含まないセグメント群Ａを点灯させていると捉えて説明する場合がある。
【００３０】
まず、時刻ｔ１において、マイクロコンピュータ１０１は、１桁目の「０」の表示を開始するための点灯信号をＬＣＤドライバ１０５に出力する。即ち、点灯パターンＢを点灯させるための点灯信号をＬＣＤドライバ１０５に出力する。このとき、図３に示すように、マイクロコンピュータ１０１が当該点灯信号を出力してから（時刻ｔ１から）、実際に速度表示部１１に「０」が表示されるまで（時刻ｔ２まで）には、図３に示す時間Ｔを時間の１単位として、４Ｔだけ時間がかかる（後述するが、時間Ｔは、セグメントを消灯させる際の応答時間である。）。これは、従来の液晶表示装置に係るＬＣＤ１０４（速度表示部１１）の、消灯されているセグメントを点灯させる際の応答時間である応答時間Ａが、４Ｔであるからである。
【００３１】
次に、時刻ｔ３において、マイクロコンピュータ１０１は、「２」の表示を開始するための点灯信号をＬＣＤドライバ１０５に出力する。即ち、点灯パターンＣを点灯させるための点灯信号をＬＣＤドライバ１０５に出力する。このとき、図３に示すように、マイクロコンピュータ１０１が当該点灯信号を出力してから（時刻ｔ３から）、実際に速度表示部１１に「２」が表示されるまで（時刻ｔ５まで）には、応答時間Ａだけ、即ち４Ｔだけ時間がかかる。このとき、実際に速度表示部１１に「２」が表示されるまで（時刻ｔ３から時刻ｔ５まで）の間には、点灯パターンＢが残存する期間（時刻ｔ３から時刻ｔ４までの時間Ｔ）と、点灯パターンＢから点灯パターンＣへ遷移中の期間（時刻ｔ４から時刻ｔ５までの時間３Ｔ）と、が含まれる。
【００３２】
時刻ｔ３から時刻ｔ４までの期間、点灯パターンＢが残存する理由は、セグメントを消灯させる際の応答時間である応答時間Ｂが、１Ｔであるためである。また、このとき、図３に示すように、点灯パターンＢから点灯パターンＣへ遷移中の期間である時刻ｔ４から時刻ｔ５までの時間３Ｔの間は、セグメント群Ｃのうちのセグメントａ，ｂ，ｄ，ｅのみが表示される。即ち、「２」を表示するための点灯パターンＣから一部のセグメントが欠けたものが点灯されて表示される。これは、従来の液晶表示装置に係るＬＣＤ１０４（速度表示部１１）の、セグメントを消灯させる際の応答時間である応答時間Ｂが、１Ｔであるために、表示までの時間が応答時間Ａ（４Ｔ）であるセグメントｇが点灯されるよりも３Ｔだけ早く、セグメントｃ，ｆが消灯されるからである。
【００３３】
次に、時刻ｔ６において、マイクロコンピュータ１０１は、「１０」の表示を開始するための点灯信号をＬＣＤドライバ１０５に出力する。即ち、点灯パターンＤを点灯させるための点灯信号をＬＣＤドライバ１０５に出力する。このとき、図３に示すように、マイクロコンピュータ１０１が当該点灯信号を出力してから（時刻ｔ６から）、実際に速度表示部１１に「１０」が表示されるまで（時刻ｔ９まで）には、応答時間Ａだけ、即ち４Ｔだけ時間がかかる。このとき、実際に速度表示部１１に「１０」が表示されるまで（時刻ｔ６から時刻ｔ９まで）には、点灯パターンＣが残存する期間（時刻ｔ６から時刻ｔ７までの時間Ｔ）と、点灯パターンＣから点灯パターンＤへ遷移中の期間（時刻ｔ７から時刻ｔ９までの時間３Ｔ）と、が含まれる。
【００３４】
また、このとき、図３に示すように、時刻ｔ７から時刻ｔ８までの時間１Ｔの間は、セグメント群Ｄのうちのセグメントａ，ｂ，ｄ，ｅのみが表示される。これは、切り替え前の点灯パターンである点灯パターンＣのセグメント群Ｃのうちのセグメントｇは、応答時間Ｂ（１Ｔ）で消灯されるからである。
【００３５】
そして、時刻ｔ８から時刻ｔ９までの時間２Ｔの間は、セグメント群Ｄのうちのセグメントａ，ｂ，ｃ，ｄ，ｅ，ｆのみが表示される。これは、従来の液晶表示装置に係るＬＣＤ１０４（速度表示部１１）の、切り替え前の点灯パターンの更に切り替え前の点灯パターンである前回点灯パターン（時刻ｔ６における点灯パターンの切り替えにおいては、点灯パターンＢ。）に共通するセグメントを点灯させる場合、当該セグメントを点灯するために要する応答時間である応答時間Ｃが、２Ｔであるために、新規に点灯されるために表示までの時間が応答時間Ａ（４Ｔ）であるセグメントｉ，ｊが点灯されるよりも２Ｔだけ早く、セグメントｃ，ｆが点灯されるからである。
【００３６】
ここで、新規にセグメントを点灯させる際の応答時間Ａ（４Ｔ）と、前回点灯パターンに共通するセグメントを点灯させる際の応答時間Ｃ（２Ｔ）との違いは、図５に示すように、前回消灯時点からの経過時間が長くなる程、各セグメントの点灯時の応答時間が長くなることに起因して生じる。
【００３７】
以上説明したように、従来の液晶表示装置においては、新規にセグメントを点灯させる際の応答時間Ａ（４Ｔ）、セグメントを消灯させる際の応答時間Ｂ（１Ｔ）、及び前回点灯パターンに共通するセグメントを点灯させる際の応答時間Ｃ（２Ｔ）がそれぞれ異なるために、図３に示す時刻ｔ４から時刻ｔ５、時刻ｔ７から時刻ｔ８、及び時刻ｔ８から時刻ｔ９の表示のように、点灯パターンの切り替え時に、各セグメントの点灯及び消灯が一度に切り替わることなく、各セグメントの一部が異なるタイミングで切り替わり、表示のバラつきが発生する。これにより、液晶表示装置の視認性が悪化し、表示品位が低下する虞があった、と本出願の発明者らは認識している。
【００３８】
また、セグメントを点灯させる際の応答時間（応答時間Ａ及び応答時間Ｃ）と、セグメントを消灯させる際の応答時間Ｂとの差は、図６に示すように、ＬＣＤ１０４のパネル温度が低くなる程、大きくなる。したがって、液晶表示装置の周辺温度が低くなる程、セグメントを点灯させる際の応答時間と、セグメントを消灯させる際の応答時間との差が大きくなり、点灯パターンの切り替え時に表示のバラつきが発生し易くなる虞があった、と本出願の発明者らは認識している。
【００３９】
（本実施形態に係る液晶表示装置１００の動作）
次に図７を参照して、本実施形態に係る液晶表示装置１００におけるＬＣＤ１０４の速度表示部１１の表示制御を説明する。図７は、本実施形態に係る液晶表示装置１００の表示制御を説明するためのタイムチャートである。
【００４０】
まず、本実施形態に係る液晶表示装置１００における表示制御の従来の表示制御との違いについて説明する。
【００４１】
本実施形態に係る液晶表示装置１００では、概略的には、以下のダミー点灯制御及び消灯遅延制御の２つの表示制御を組み合わせることによって、点灯パターンの切り替え時に、当該切り替え時点から、前回点灯パターンに共通するセグメントを点灯させる際の応答時間Ｃ（２Ｔ）だけ後に、点灯パターンが一度に切り替わるように制御する。
【００４２】
第１に、本実施形態に係る液晶表示装置１００では、ダミー点灯制御として、上述した新規にセグメントを点灯させる際の応答時間と、前回点灯パターンに共通するセグメントを点灯させる際の応答時間との違いに起因する表示のバラつきの発生を抑制するために、点灯パターンの切り替え時点の所定時間前から当該切り替え時点までの間、セグメント全体のうちの前回点灯パターンにおけるセグメント群に共通しない（含まれない）セグメント群であるダミーセグメント群に、臨界電圧よりも電圧値の絶対値が小さいダミー電圧（例えば、１Ｖ。）を印加する。ダミー点灯制御における処理の詳細については後述する。
【００４３】
第２に、本実施形態に係る液晶表示装置１００では、消灯遅延制御として、上述したセグメントを点灯させる際の応答時間と、セグメントを消灯させる際の応答時間との違いに起因する表示のバラつきの発生を抑制するために、点灯パターンの切り替え時点から、セグメントを点灯させる際の応答時間から消灯させる際の応答時間を減じた時間だけ、切り替え前の点灯パターンにおけるセグメント群のうちの切り替え後の点灯パターンにおけるセグメント群に共通しないセグメント群である消灯遅延セグメント群に、臨界電圧よりも電圧値の絶対値が大きい消灯遅延電圧（例えば、５Ｖ。）を印加する（即ち、消灯遅延セグメント群を点灯させる。）。消灯遅延制御における処理の詳細については後述する。
尚、上述した従来の液晶表示装置では、セグメントを点灯させる際の応答時間は、新規にセグメントを点灯させる際の応答時間Ａ（４Ｔ）と、前回点灯パターンに共通するセグメントを点灯させる際の応答時間Ｃ（２Ｔ）のいずれの応答時間となる場合もあったが、本実施形態に係る液晶表示装置１００では、上述したダミー点灯制御により、セグメントを点灯させる際の応答時間は、前回点灯パターンに共通するセグメントを点灯させる際の応答時間Ｃ（２Ｔ）に統一されている。
【００４４】
図７を参照して、本実施形態に係る液晶表示装置１００における表示制御の例を説明する。図７においても、図３の場合と同様、説明の簡単化のために、１桁目及び２桁目の表示要素のみを用いて表示制御を行う場合について例示している。
【００４５】
図７において、横軸は表示開始からの経過時間を表し、最上段は各時刻に速度表示部１１に本来表示するべき（意図する）表示内容を表し、２段目は各時刻にマイクロコンピュータ１０１からＬＣＤドライバ１０５に出力される点灯信号のうちの消灯遅延制御により出力される部分（消灯遅延信号）を表し、３段目は各時刻にマイクロコンピュータ１０１からＬＣＤドライバ１０５に出力される点灯信号を表し、４段目は各時刻にダミー点灯制御によりマイクロコンピュータ１０１からＬＣＤドライバ１０５に出力されるダミー点灯信号を表し、５段目は各時刻に速度表示部１１に実際に表示される表示内容を表している。
【００４６】
図７では、本来表示するべき表示内容として、従来例として示した図３の場合と同様に、何も表示しない時刻ｔ０における開始状態から、時刻ｔ２において「０」の表示を開始し、時刻ｔ５において「０」から「２」に表示を切り替え、時刻ｔ９において「２」から「１０」に表示を切り替えることを意図して表示する場合について例示している。即ち、図７では、速度表示部１１に表示する点灯パターンを、時刻ｔ０においては点灯パターンＡとし、時刻ｔ２において点灯パターンＡから点灯パターンＢに切り替え、時刻ｔ５において点灯パターンＢから点灯パターンＣに切り替え、時刻ｔ９において、点灯パターンＣから点灯パターンＤに表示を切り替えることを意図して表示する場合について例示している。
【００４７】
まず、時刻ｔ２において「０」の表示を開始するための点灯信号（点灯パターンＢを点灯させるための点灯信号）をＬＣＤドライバ１０５に出力する前に、マイクロコンピュータ１０１は、時刻ｔ１から時刻ｔ２までの時間２Ｔの間、ダミー点灯信号として、全セグメントａ，ｂ，ｃ，ｄ，ｅ，ｆ，ｇ及びｈ，ｉ，ｊ，ｋ，ｌ，ｍ，ｎから成るダミーセグメント群Ａにダミー電圧を印加させるための信号を出力する。当該ダミーセグメント群Ａとしては、時刻ｔ２における点灯パターンの切り替えは１回目の切り替えであり前回点灯パターンが存在しないため、前回点灯パターンを全てのセグメントを点灯させない点灯パターンＡであると見做して、全セグメントのうちの点灯パターンＡにおけるセグメント群Ａに共通しないセグメント（即ち、全セグメント。）が選択される。当該ダミー点灯信号を受け付けたＬＣＤ１０５は、ダミーセグメント群Ａに含まれる各セグメントにダミー電圧を印加する。
【００４８】
そして、時刻ｔ２において、マイクロコンピュータ１０１は、「０」の表示を開始するための点灯信号（点灯パターンＢを点灯させるための点灯信号）をＬＣＤドライバ１０５に出力する。このとき、図７に示すように、マイクロコンピュータ１０１が当該点灯信号を出力してから（時刻ｔ２から）時間２Ｔ後に、速度表示部１１に「０」が表示される。これは、前述したように、点灯パターンの切り替え時点（ｔ２）の前から、ダミー点灯信号がＬＣＤドライバ１０５に入力されてダミーセグメント群Ａにダミー電圧が印加されていたために、点灯パターンＢにおけるセグメント群Ｂの応答時間が、前回点灯パターンに共通するセグメントを点灯させる際の応答時間Ｃ（２Ｔ）と同程度とされているからである。即ち、本実施形態に係る液晶表示装置１００では、本来、点灯パターンの切り替え後に臨界電圧を印加して新規に点灯させるセグメントに対して、臨界電圧よりも電圧値の小さいダミー電圧を予め印加させておくことにより、セグメントを点灯させる際の応答時間が、前回点灯パターンに共通するセグメントを点灯させる際の応答時間である２Ｔに統一されている。また、図３に示した従来の表示制御では、マイクロコンピュータ１０１が点灯パターンＢを点灯させるための点灯信号を出力してから速度表示部１１に「０」が表示されるまでには、４Ｔだけ時間がかかっていたのに対して、本実施形態における表示制御によれば、当該ダミー点灯制御が実施されているために、当該時間が２Ｔに短縮されている。
【００４９】
時刻ｔ５において「２」の表示を開始するための点灯信号（点灯パターンＣを点灯させるための点灯信号）をＬＣＤドライバ１０５に出力する前に、マイクロコンピュータ１０１は、時刻ｔ４から時刻ｔ５までの時間２Ｔの間、ダミー点灯信号として、セグメントａ，ｂ，ｃ，ｄ，ｅ，ｆ，ｇ及びｈ，ｉ，ｊ，ｋ，ｌ，ｍ，ｎから成るダミーセグメント群Ｂを点灯させるための信号を出力する。当該ダミーセグメント群Ｂとしては、ダミーセグメント群Ａの場合と同様に、前回点灯パターンが全てのセグメントを点灯させない点灯パターンＡであるため、全セグメントのうちの点灯パターンＡにおけるセグメント群Ａに共通しないセグメント（即ち、全セグメント。）が選択される。当該ダミー点灯信号を受け付けたＬＣＤ１０５は、ダミーセグメント群Ｂに含まれる各セグメントにダミー電圧を印加する。
【００５０】
そして、時刻ｔ５において、マイクロコンピュータ１０１は、「２」の表示を開始するための点灯信号（点灯パターンＣを点灯させるための点灯信号）をＬＣＤドライバ１０５に出力する。このとき、当該切り替え時点（ｔ５）の前から、ダミー点灯信号がＬＣＤドライバ１０５に入力されていたために、図７に示すように、マイクロコンピュータ１０１が当該点灯信号を出力してから（時刻ｔ５から）時間２Ｔ後に、速度表示部１１に「２」が表示される。
【００５１】
また、時刻ｔ５において「２」の表示を開始するための点灯信号（点灯パターンＣを点灯させるための点灯信号）をＬＣＤドライバ１０５に出力した後、マイクロコンピュータ１０１は、時刻ｔ５から時刻ｔ６までの時間１Ｔの間、消灯遅延信号として、セグメントｃ，ｆから成る消灯遅延セグメント群Ａを点灯させるための信号を、上記点灯パターンＣを点灯させるための点灯信号と併せて出力する。即ち、マイクロコンピュータ１０１は、時刻ｔ５から時刻ｔ６までの間は、図７に示すように、点灯信号として、消灯遅延信号と、上記点灯パターンＣを点灯させるための信号とを併せた、セグメントａ，ｂ，ｃ，ｄ，ｅ，ｆ，ｇから成るセグメント群を点灯させるための信号を、ＬＣＤドライバ１０５に出力する。当該消灯遅延セグメント群Ａとしては、切り替え前の点灯パターンである点灯パターンＢのうちの、切り替え後の点灯パターンである点灯パターンＣに共通しないセグメント群が選択される。ここで、消灯遅延信号をマイクロコンピュータ１０１がＬＣＤドライバ１０５に出力する時間の長さは、セグメントを点灯させる際の応答時間である２Ｔから、消灯させる際の応答時間である１Ｔを減じた時間が１Ｔであるために、１Ｔに設定されている。
【００５２】
尚、図６に示したように、セグメントを点灯させる際の応答時間とセグメントを消灯させる際の応答時間との差は、周辺温度Ｔの値にしたがって変化する。より具体的には、周辺温度Ｔの値が小さくなる程、大きくなる。本実施形態に係る液晶表示装置１００では、上述した消灯遅延信号を出力する時間の長さは、周辺温度Ｔが５℃である温度環境下の場合を想定して設定されている。即ち、周辺温度Ｔが５℃である温度環境下における、セグメントを点灯させる際の応答時間から、消灯させる際の応答時間を減じた時間である１Ｔに設定されている。
【００５３】
このように、図３に示した従来の表示制御では、時刻ｔ４から時刻ｔ５までの時間３Ｔの間は、セグメント群Ｃのうちのセグメントａ，ｂ，ｄ，ｅのみが表示されていたのに対して、本実施形態に係る表示制御では、ダミー点灯制御及び消灯遅延制御が実施されているために、図７に示すように、マイクロコンピュータ１０１が点灯パターンＣを点灯させるための点灯信号を出力してから（時刻ｔ５から）時間２Ｔ後に、点灯パターンが点灯パターンＢから点灯パターンＣに一度に切り替わり、速度表示部１１には「２」が表示される。
【００５４】
以上説明した表示制御と同様に、時刻ｔ９において「１０」の表示を開始するための点灯信号（点灯パターンＤを点灯させるための点灯信号）をＬＣＤドライバ１０５に出力する前に、マイクロコンピュータ１０１は、時刻ｔ８から時刻ｔ９までの時間２Ｔの間、ダミー点灯信号として、セグメントｇ及びｈ，ｉ，ｊ，ｋ，ｌ，ｍ，ｎから成るダミーセグメント群Ｃを点灯させるための信号を出力する。当該ダミーセグメント群Ｃとしては、前回点灯パターンが点灯パターンＢであるため、全セグメントのうちの点灯パターンＢにおけるセグメント群Ｂに共通しないセグメントが選択される。当該ダミー点灯信号を受け付けたＬＣＤ１０５は、ダミーセグメント群Ｃに含まれる各セグメントにダミー電圧を印加する。
【００５５】
そして、時刻ｔ９において、マイクロコンピュータ１０１は、「１０」の表示を開始するための点灯信号（点灯パターンＤを点灯させるための点灯信号）をＬＣＤドライバ１０５に出力する。このとき、当該切り替え時点（ｔ９）の前から、ダミー点灯信号がＬＣＤドライバ１０５に入力されていたために、図７に示すように、マイクロコンピュータ１０１が当該点灯信号を出力してから（時刻ｔ９から）時間２Ｔ後に、速度表示部１１に「１０」が表示される。
【００５６】
また、時刻ｔ９において「１０」の表示を開始するための点灯信号（点灯パターンＤを点灯させるための点灯信号）をＬＣＤドライバ１０５に出力した後、マイクロコンピュータ１０１は、時刻ｔ９から時刻ｔ１０までの時間１Ｔの間、消灯遅延信号として、セグメントｇから成る消灯遅延セグメント群Ｂを点灯させるための信号を、上記点灯パターンＤを点灯させるための点灯信号と併せて出力する。即ち、マイクロコンピュータ１０１は、時刻ｔ９から時刻ｔ１０までの間は、図７に示すように、点灯信号として、消灯遅延信号と、上記点灯パターンＣを点灯させるための信号とを併せた、セグメントａ，ｂ，ｃ，ｄ，ｅ，ｆ，ｇ及びｉ，ｊから成るセグメント群を点灯させるための信号を、ＬＣＤドライバ１０５に出力する。当該消灯遅延セグメント群Ｂとしては、切り替え前の点灯パターンである点灯パターンＣのうちの、切り替え後の点灯パターンである点灯パターンＤに共通しないセグメント群が選択される。
【００５７】
このように、図３に示した従来の表示制御では、時刻ｔ７から時刻ｔ８までの時間１Ｔの間は、セグメント群Ｄのうちのセグメントａ，ｂ，ｄ，ｅが表示され、時刻ｔ８から時刻ｔ９までの時間２Ｔの間は、セグメントａ，ｂ，ｃ，ｄ，ｅ，ｆが表示されていたのに対して、本実施形態に係る表示制御では、ダミー点灯制御及び消灯遅延制御が実施されているために、図７に示すように、マイクロコンピュータ１０１が点灯パターンＤを点灯させるための点灯信号を出力してから（時刻ｔ９から）時間２Ｔ後に、点灯パターンが点灯パターンＣから点灯パターンＤに一度に切り替わり、速度表示部１１には「１０」が表示される。
【００５８】
尚、時刻ｔ２において点灯パターンを点灯パターンＡから点灯パターンＢに切り替える際にも、後述するように消灯遅延制御が実施されているが、切り替え前の点灯パターンである点灯パターンＡには、切り替え後の点灯パターンである点灯パターンＢに共通しないセグメント群が存在しないために、結果的に、いずれのセグメントについても消灯遅延制御によっては点灯されていない。
【００５９】
次に、図８を参照して、本実施形態に係る表示制御を実施する際にマイクロコンピュータ１０１が実施する処理の手順を説明する。図８は、本実施形態に係る液晶表示装置１００の表示制御を説明するためのフローチャートである。図８では、マイクロコンピュータ１０１が、例えば、上述した図７に示す時間Ｔの１／１０の時間間隔で、周期的に図８に示す処理を実行し、点灯信号の制御を切り替えている例について説明する。
【００６０】
点灯信号を切り替えるタイミングを迎えると、まず、マイクロコンピュータ１０１は、ステップＳ１１では、温度センサ１０３から受け付けた周辺温度Ｔの値が、予め定められた所定の温度閾値Ｔ１以下であるか否かを判定する。例えば、本実施形態に係る液晶表示装置１００では、温度閾値Ｔ１の値として、比較的低めの車内温度としての１５℃が定められている。当該判定の結果、周辺温度Ｔの値が温度閾値Ｔ１以下である場合には、マイクロコンピュータ１０１は、ステップＳ１３の処理を実行する、一方、判定の結果、周辺温度Ｔの値が温度閾値Ｔ１より大きい場合には、マイクロコンピュータ１０１は、ステップＳ１２の処理を実行する。
【００６１】
ステップＳ１２では、マイクロコンピュータ１０１は、ダミー点灯制御及び遅延点灯制御を実施する必要がないと判断し、現在時刻にＬＣＤドライバ１０５に出力すべき点灯信号（通常点灯信号）のみを、ＬＣＤドライバ１０５に出力すべき信号として、例えば出力レジスタに格納する。その後、マイクロコンピュータ１０１は、ステップＳ１９の処理を実行する。
【００６２】
ステップＳ１３では、マイクロコンピュータ１０１は、ダミー点灯信号を出力するタイミングか否かを判定する。より具体的には、マイクロコンピュータ１０１は、現在時刻が、速度表示部１１の表示を切り替える時点から所定時間だけ前の時間帯（上述した表示制御例では、時間２Ｔの間）に属しているか否かを判定する。当該判定の結果、ダミー信号を出力するタイミングであると判定した場合には、マイクロコンピュータ１０１は、ステップＳ１４の処理を実行する。一方、判定の結果、ダミー信号を出力するタイミングではないと判定した場合には、マイクロコンピュータ１０１は、ステップＳ１７の処理を実行する。
【００６３】
ステップＳ１４では、マイクロコンピュータ１０１は、消灯遅延信号を出力するタイミングか否かを判定する。より具体的には、マイクロコンピュータ１０１は、現在時刻が、速度表示部１１の表示の切り替え時点から所定時間だけ後の時間帯（上述した表示制御例では、時間１Ｔの間）に属しているか否かを判定する。当該判定の結果、消灯遅延信号を出力するタイミングであると判定した場合には、マイクロコンピュータ１０１は、ステップＳ１５の処理を実行する。一方、判定の結果、消灯遅延信号を出力するタイミングではないと判定した場合には、マイクロコンピュータ１０１は、ステップＳ１６の処理を実行する。
【００６４】
ステップＳ１５では、マイクロコンピュータ１０１は、ダミー点灯制御及び遅延点灯制御を実施するタイミングであると判断し、通常点灯信号に加えて、ダミー点灯信号及び消灯遅延信号をＬＣＤドライバ１０５に出力すべき信号として、例えば出力レジスタに格納する。その後、マイクロコンピュータ１０１は、ステップＳ１９の処理を実行する。
【００６５】
ステップＳ１６では、マイクロコンピュータ１０１は、ダミー点灯制御を実施するタイミングであると判断し、通常点灯信号に加えて、ダミー点灯信号をＬＣＤドライバ１０５に出力すべき信号として、例えば出力レジスタに格納する。その後、マイクロコンピュータ１０１は、ステップＳ１９の処理を実行する。
【００６６】
ステップＳ１７では、マイクロコンピュータ１０１は、消灯遅延信号を出力するタイミングか否かを判定する。より具体的には、マイクロコンピュータ１０１は、現在時刻が、速度表示部１１の表示の切り替え時点から所定時間だけ後の時間帯（上述した表示制御例では、時間１Ｔの間）に属しているか否かを判定する。当該判定の結果、消灯遅延信号を出力するタイミングであると判定した場合には、マイクロコンピュータ１０１は、ステップＳ１８の処理を実行する。一方、判定の結果、消灯遅延信号を出力するタイミングではないと判定した場合には、マイクロコンピュータ１０１は、上述したステップＳ１２の処理を実行する。
【００６７】
ステップＳ１８では、マイクロコンピュータ１０１は、消灯遅延制御を実施するタイミングであると判断し、通常点灯信号に加えて、消灯遅延信号をＬＣＤドライバ１０５に出力すべき信号として、例えば出力レジスタに格納する。その後、マイクロコンピュータ１０１は、ステップＳ１９の処理を実行する。
【００６８】
ステップＳ１９では、マイクロコンピュータ１０１は、出力レジスタに格納された信号を、ＬＣＤドライバ１０５に出力して、ＬＣＤドライバ１０５にＬＣＤ１０４の各セグメントに電圧を印加させる。これにより、ＬＣＤドライバ１０５が出力した信号にしたがってＬＣＤ１０４が動作して、速度表示部１１の各セグメントの点灯及び消灯が制御される。
【００６９】
マイクロコンピュータ１０１は、点灯信号を切り替えるタイミングを迎える度に、以上の処理を繰り返し実行し、速度表示部１１の各セグメントの点灯及び消灯を制御する。
【００７０】
以下では、本実施形態に係る液晶表示装置１００の作用及び効果について説明する。
【００７１】
本実施形態に係る液晶表示装置１００は、区分された複数のセグメントを有するＬＣＤ１０４（表示部）と、各セグメントに印加する電圧の値を制御して各セグメントを点灯及び消灯させるマイクロコンピュータ１０１（制御部）と、を備える。
そして、マイクロコンピュータ１０１は、ＬＣＤ１０４に出力する点灯パターンを、上記複数のセグメントから選択された第１のセグメント群（例えば、セグメント群Ｂ。）を点灯させる第１の点灯パターン（点灯パターンＢ）から、上記複数のセグメントから選択された第２のセグメント群（セグメント群Ｃ）を点灯させる第２の点灯パターン（点灯パターンＣ）に切り替えた後、上記複数のセグメントから選択された第３のセグメント群（セグメント群Ｄ）を点灯させる第３の点灯パターン（点灯パターンＤ）に更に切り替える際には、第２の点灯パターン（点灯パターンＣ）から第３の点灯パターン（点灯パターンＤ）への切り替え時点（時刻ｔ９）の所定時間（時間２Ｔ）前から該切り替え時点（時刻ｔ９）までの間、上記複数のセグメント全体のうちの第１のセグメント群（セグメント群Ｂ）に共通しないセグメント（ダミーセグメント群Ｃ）にダミー電圧を印加する。
これにより、各セグメントの点灯時における、前回消灯時点からの経過時間が長くなることが防止され、セグメントを点灯させる際の応答時間が、前回点灯パターンに共通するセグメントを点灯させる際の応答時間に統一される。このため、前回消灯時からの経過時間によって各セグメントの点灯時における応答時間が相違することに起因する、表示のバラつきの発生を抑制できる。
この結果、本実施形態に係る液晶表示装置１００によれば、視認性を向上した液晶表示装置を提供できる。
【００７２】
また、本実施形態に係る液晶表示装置１００は、液晶表示装置１００の周辺温度Ｔを検出する温度センサ１０３（温度検出部）を更に備える。
そして、マイクロコンピュータ１０１は、温度センサ１０３から取得した周辺温度Ｔの値が所定の閾値Ｔ１（例えば、本実施形態では、１５℃。）以下である場合には、セグメント全体のうちの第１のセグメント群（セグメント群Ｂ）に共通しないセグメント（ダミーセグメント群Ｃ）に、ダミー電圧を印加する（図８、ステップＳ１１）。
このように、本実施形態に係る液晶表示装置１００では、液晶表示装置１００の周辺温度Ｔの値が所定の閾値Ｔ１以下である場合に、セグメント全体のうちの第１のセグメント群に共通しないセグメントにダミー電圧が印加される。これにより、前回消灯時からの経過時間の違いによる各セグメントの点灯時における応答時間の相違がより顕著に現れやすい低温環境下で液晶表示装置１００が使用される場合に、表示のバラつきの発生を効果的に抑制できる。また、換言すれば、消灯時からの経過時間の違いによる各セグメントの点灯時における応答時間の相違が現れにくい、比較的高温の環境下で液晶表示装置１００が使用される場合には、ダミー点灯制御を実施しないために、消費電力量を低減することができる。
【００７３】
また、本実施形態に係る液晶表示装置１００では、マイクロコンピュータ１０１は、例えば第２の点灯パターン（点灯パターンＣ）から第３の点灯パターン（点灯パターンＤ）への切り替え時点（時刻ｔ９）の所定時間（時間２Ｔ）前から該切り替え時点（時刻ｔ９）までの間、セグメント全体のうちの第１のセグメント群（セグメント群Ｂ）に共通しないセグメント（ダミーセグメント群Ｃ）に、ダミー電圧を印加し、且つ、該切り替え時点（時刻ｔ９）から所定時間（時間１Ｔ）だけ、第１のセグメント群（セグメント群Ｂ）のうちの第２のセグメント群（セグメント群Ｃ）に共通しないセグメント（消灯遅延セグメント群Ｂ）に消灯遅延電圧を印加する。
これにより、前回消灯時からの経過時間によって各セグメントの点灯時における応答時間が相違することに起因する、表示のバラつきの発生に加えて、各セグメントの点灯時における応答時間が消灯時における応答時間よりも長いことに起因する、表示のバラつきの発生をも抑制できる。
【００７４】
また、本実施形態に係る液晶表示装置１００では、マイクロコンピュータ１０１は、例えば第２の点灯パターン（点灯パターンＣ）から第３の点灯パターン（点灯パターンＤ）への切り替え時点（時刻ｔ９）から、所定の温度環境下（例えば、本実施形態では、５℃。）における、セグメントの点灯時における応答時間から消灯時における応答時間を減じた時間（時間１Ｔ）だけ、第１のセグメント群（セグメント群Ｂ）のうちの第２のセグメント群（セグメント群Ｃ）に共通しないセグメント（消灯遅延セグメント群Ｂ）に消灯遅延電圧を印加する。
これにより、各セグメントの点灯時における応答時間が消灯時における応答時間よりも長いことに起因する、表示のバラつきの発生をより効果的に抑制できる。
【００７５】
尚、本発明の技術的範囲は、上述した実施形態に限定されるものではない。上述した実施形態は、本発明の技術的範囲内で種々の変形や改良等を伴うことができる。
【００７６】
例えば、図７に例示した表示制御では、ダミー点灯制御及び消灯遅延制御の２つの表示制御を組み合わせた制御を実施する場合について説明したが、消灯遅延制御は実施せず、ダミー点灯制御のみを実施する構成としても構わない。この構成によれば、セグメントを点灯させる際の応答時間と、セグメントを消灯させる際の応答時間との違いに起因する表示のバラつきは抑制することはできないが、新規にセグメントを点灯させる際の応答時間と、前回点灯パターンに共通するセグメントを点灯させる際の応答時間との違いに起因する表示のバラつきの発生は抑制することができる。即ち、図３及び図７に示した例に則して説明すれば、従来の表示制御では、切り替え後の点灯パターンを点灯させるための点灯信号を出力してから速度表示部１１に当該点灯パターンが表示されるまでには、４Ｔだけ時間がかかる場合があるのに対して、当該構成における表示制御によれば、当該時間を２Ｔに短縮することができる。
【００７７】
また、本実施形態に係る液晶表示装置１００では、ダミー点灯制御として、点灯パターンの切り替え時点よりも時間２Ｔだけ前から当該切り替え時点までの間、全セグメントのうちの前回点灯パターンに共通しないセグメント群にダミー電圧を印加する構成としたが、当該ダミー電圧を印加する時間は適宜変更されても構わない。例えば、１Ｔとしてもよいし、３Ｔとしても構わない。また或いは、ＬＣＤ１０４のパネル温度（又は周辺温度Ｔ）の値にしたがって変更される可変の値としても構わない。
【００７８】
また、本実施形態に係る液晶表示装置１００では、ダミー点灯制御として、点灯パターンの切り替え時点よりも時間２Ｔだけ前から当該切り替え時点までの間、全セグメントのうちの前回点灯パターンに共通しないセグメント群の全てに、ダミー電圧が印加される構成としたが、必ずしも当該セグメント群の全てにダミー電圧が印加される必要はなく、当該セグメント群のうちの少なくとも１つのセグメントにダミー電圧が印加される構成であればよい。例えば、応答性又は視認性が問題となるセグメントのみにダミー電圧が印加される構成であっても構わない。
【００７９】
また、同様に、本実施形態に係る液晶表示装置１００では、消灯遅延制御として、点灯パターンの切り替え時点から時間１Ｔの間、切り替え前の点灯パターンのうちの切り替え後の点灯パターンに共通しないセグメント群の全てに消灯遅延電圧が印加される構成としたが、必ずしも当該セグメント群の全てにダミー電圧が印加される必要はなく、当該セグメント群のうちの少なくとも１つのセグメントに消灯遅延電圧が印加される構成であればよい。例えば、応答性又は視認性が問題となるセグメントのみに消灯遅延電圧が印加される構成であっても構わない。
【００８０】
また、本実施形態に係る液晶表示装置１００では、ダミー点灯制御として、点灯パターンの切り替え時点よりも時間２Ｔだけ前から当該切り替え時点までの間、全セグメントのうちの前回点灯パターンに共通しないセグメント群にダミー電圧を印加する構成としたが、前回点灯パターンだけでなく、当該前回点灯パターンの更に切り替え前の点灯パターンまでを考慮して、ダミー電圧を印加するセグメントを決定する構成としても構わない。
【００８１】
また、本実施形態において示した臨界電圧、ダミー電圧、及び消灯遅延電圧等の各電圧値、並びに応答時間Ａ、応答時間Ｂ、及び応答時間Ｃ等の各応答時間の長さ、並びに閾値Ｔ１等の各温度の値は、それぞれ一例を示したものであり、本発明の技術的範囲は、これらの実施形態に限定されるものではない。
【００８２】
また、本実施形態に係る液晶表示装置１００では、ダミー点灯制御におけるダミー電圧を印加する時間、及び消灯遅延制御における消灯遅延電圧を印加する時間は、それぞれ一定値であるとしたが、これら時間が、温度センサ１０３から受け付けた周辺温度Ｔの値にしたがって随時変更される構成としても構わない。例えば、この場合には、消灯遅延制御に関しては、マイクロコンピュータ１０１は、図８のステップＳ１１の処理を実行した後、現在の周辺温度Ｔの値と、図６に示した点灯時におけるセグメントの応答時間と消灯時におけるセグメントの応答時間との関係と、に基づいて、当該周辺温度Ｔにおけるセグメントを点灯させる際の応答時間から消灯させる際の応答時間を減じた時間を算出し、算出された時間を、消灯遅延電圧を印加する時間とすればよい。また、ダミー点灯制御に関しては、マイクロコンピュータ１０１は、図８のステップＳ１１の処理を実行した後、周辺温度Ｔと前回消灯時点からの経過時間と点灯時におけるセグメントの応答時間と、を対応付けたデータに基づいて、現在の周辺温度におけるダミー電圧を印加すべき時間を算出し、算出した時間を、ダミー電圧を印加する時間とすればよい。
【００８３】
また、本実施形態に係る液晶表示装置１００では、ダミー点灯制御として、点灯パターンの切り替え時点よりも時間２Ｔだけ前から当該切り替え時点までの間、全セグメントのうちの前回点灯パターンに共通しないセグメント群にダミー電圧を印加する構成としたが、これに加えて、切り替え時点の後、所定時間だけダミー電圧を印加する構成としても構わない。
【００８４】
また、本実施形態に係る液晶表示装置１００では、マイクロコンピュータ１０１が、ＬＣＤ１０４の各セグメントに電圧値が変化する電圧を印加するダイナミック駆動方式により、ＬＣＤ１０４の表示を制御する構成としたが、一定の電圧値の電圧を印加するスタティック駆動方式により、ＬＣＤ１０４の表示を制御する構成としても構わない。
即ち、本実施形態に係る液晶表示装置１００では、ダミー点灯制御として、ダミーセグメント群に、臨界電圧よりも電圧値の絶対値が小さいダミー電圧を印加する構成としたが、スタティック駆動方式を採用して、ダミーセグメント群に、臨界電圧よりも電圧値の絶対値が大きいダミー電圧（例えば、５Ｖ。）を印加する構成としても構わない。このように臨界電圧よりも絶対値が大きい電圧をダミー電圧として印加する場合には、ダミー電圧を印加する時間の長さを、新規にセグメントを点灯させる際の応答時間より短い時間に設定すればよい。
【符号の説明】
【００８５】
１００  液晶表示装置
１０１  マイクロコンピュータ
１０２  ＥＥＰＲＯＭ
１０３  温度センサ
１０４  ＬＣＤ
１０５  ＬＣＤドライバ
１０６  ＬＣＤ駆動電源部
１０７  電源回路
１０８〜１１１  インタフェース
１０  表示画面
１１  速度表示部
１３  水温表示部
１５  燃料表示部
【図１】
2014095748.tif 000003
【図２】
2014095748.tif 000004
【図３】
2014095748.tif 000005
【図４】
2014095748.tif 000006
【図５】
2014095748.tif 000007
【図６】
2014095748.tif 000008
【図７】
2014095748.tif 000009
【図８】
2014095748.tif 000010